(57)【要約】      （修正有）【課題】モジュール部が有する情報の確認を容易に行うこと。【解決手段】モジュール部２と、モジュール部２に機械的に着脱可能な表示アダプタ３とを有し、次の(1)〜(7)の構成を有する。モジュール部２は、(1)入出力信号を処理する処理部と、処理部を内蔵するケース１１ａ，１２ａとを有し、(2)他のモジュール部と並置されて互いに電気的に接続されるコネクタ１４を有し、(3)処理部からの入出力信号用の情報端子部２４と、処理部に関する情報を読み出す通信用端子部とを有し、(4)ケースの一面に情報端子部２４と通信用端子部とが配置されており、情報端子部２４が占める面積が大きい。表示アダプタ３は、(5)表示部３２と接続部とを有し、(6)接続部は、通信用端子部に電気的に接離可能であり、(7)モジュール部２に装着されているとき、情報端子部２４を覆わない位置に配置され、表示部３２には処理部に関する情報が表示される。【選択図】図１
2009205416.tif 000002
【特許請求の範囲】
【請求項１】
モジュール部と、このモジュール部に機械的に着脱可能な表示アダプタとを有し、さらに次の（１）〜（７）の構成を有するモジュール型装置。
（１）上記モジュール部は、入出力信号を処理する処理部と、この処理部を内蔵するケースとを有する。
（２）上記モジュール部は、他のモジュール部と並置されて互いに電気的に接続されるコネクタを有する。
（３）上記モジュール部は、上記処理部からの入出力信号用の情報端子部と、上記処理部に関する情報を読み出す通信用端子部とを有する。
（４）上記モジュール部のケースの一つの面に情報端子部と通信用端子部とが配置されており、その面の中で、上記情報端子部が占める面積が残りの面積よりも大きく、上記通信用端子部がその残りの面積部分に配置されている。
（５）上記表示アダプタは、表示部と接続部とを有する。
（６）上記接続部は、上記モジュール部の上記通信用端子部に電気的に接離可能である。
（７）上記表示アダプタが上記モジュール部に装着されているとき、上記表示アダプタは上記情報端子部を覆わない位置に配置され、上記表示部には上記処理部に関する情報が表示される。
【請求項２】
前記表示アダプタは、前面側に前記表示部を、背面側に前記通信用端子部に挿入される前記接続部となる挿入部をそれぞれ有すると共に、前記モジュール部の前面の横幅以下の横幅長と、縦幅以下の縦幅長とされていることを特徴とする請求項１記載のモジュール型装置。
【請求項３】
前記通信用端子部は、前記モジュール部の前面上部に配置され、前記表示アダプタは、その一部が前記通信用端子部に挿入されることで前記モジュール部から電源の供給を受けることを特徴とする請求項１または２記載のモジュール型装置。
【請求項４】
前記表示アダプタは、その横幅長が前記モジュール部の横幅と同一とされていることを特徴とする請求項１から３のいずれか１項記載のモジュール型装置。
【請求項５】
前記表示アダプタで表示される表示項目を切り替えるためのスイッチが前記表示アダプタの表示部を囲む側面に配置されていることを特徴とする請求項１から４のいずれか１項記載のモジュール型装置。
【請求項６】
前面の大きな面積を占める部分に信号の入出力用の情報端子部が、上記前面の残りの一部に通信用端子部がそれぞれ配置され、入力信号を処理し出力信号とする処理部を内部に有し、他のモジュール型装置と並列接続可能となるモジュール部に接離可能とされ、
上記モジュール部の前面の横幅以下の横幅長および上記モジュール部の前面の縦幅以下の縦幅長を有し、
上記通信用端子部に接続した際、上記モジュール部が有する情報を該モジュール部から入手する制御部と、
その入手した情報を表示する表示部と、
を有することを特徴とする表示アダプタ。
【請求項７】
前記通信用端子部に挿入される挿入部を有し、その挿入部とは反対側となる前面側に前記表示部を有することを特徴とする請求項７記載の表示アダプタ。
【請求項８】
前記横幅長は、前記モジュール部の横幅と同一とされ、前記モジュール部に取り付けられたとき、その上端が前記モジュール部の上端の高さと同一とされていることを特徴とする請求項６または７記載の表示アダプタ。
【請求項９】
前記表示部で表示される表示項目を切り替えるためのスイッチを、前記表示部を囲む側面に配置したことを特徴とする請求項６、７または８記載の表示アダプタ。
【発明の詳細な説明】
【技術分野】
【０００１】
本発明は、モジュール型装置および表示アダプタに関する。
【背景技術】
【０００２】
従来から、前面に端子部を、内部に信号処理をする処理部をそれぞれ有し、他のモジュール型装置と並列接続可能となるモジュール型製品が知られている(特許文献１参照)。このモジュール型製品の中には、その前面側に入力状態をモニタできる表示部が組み込まれているものがあるが、近年の小型化の要請に伴い、そのスペースは小さくなってきている。また、表示部を完全に無くした製品も出始めており、状態確認や異常時のメンテナンスが不便となってきている。
【０００３】
また、モジュール型製品を使用するには、各種の設定をしなくてはならず、その前面側に設定のための通信インターフェースを備えているものが多い。この場合、その通信インターフェースのポートの存在により、表示スペースが追いやられる事態にもなっている。そのため、そのような場合には、装置やシステムの上位表示器上で設定の確認をしなくてはならなかったり、システム状態を監視するツール(たとえばパーソナルコンピュータ)を接続しなくてはならなかったりしている。
【０００４】
【特許文献１】特開２００７−２８６８６２号公報
【発明の開示】
【発明が解決しようとする課題】
【０００５】
特許文献１記載のようなモジュール型製品について、その設定情報や動作状態の情報を、上位の表示器上で確認するという方法の場合、その上位の装置やシステムがモジュール型製品から遠く離れた場所にあるときは、その確認作業は極めて不便なものとなる。また、確認のためパーソナルコンピュータなどを接続する方法の場合は、パーソナルコンピュータ自体が大きなものであり、持ち運びに大変となる。また常設は不可能に近いものとなり、確認作業の不便さは解消できない。
【０００６】
本発明は、上述の問題点を解決するためになされたもので、モジュール部が有する情報の確認が容易に行えるモジュール型装置および表示アダプタを提供することを目的とする。
【課題を解決するための手段】
【０００７】
この課題を解決するため、本発明のモジュール型装置は、前面の大きな面積を占める部分に信号の入出力用の情報端子部が配置されるモジュール部と、このモジュール部に接離可能な表示アダプタとを有するものとしている。そして、モジュール部の前面に通信用端子部を設け、その通信用端子部に表示アダプタを接続することができる。接続した際は、情報端子部を覆わないように表示アダプタを配置する一方、表示アダプタは、モジュール部が有する情報を表示部に表示する。
【０００８】
この構成の結果、モジュール部が有する情報の確認が容易に行える。これによりメンテナンスの作業も容易になると共に、表示アダプタを接続したままとすることで表示部の常設が可能となる。また、接続時には、情報端子部を覆わないように表示アダプタが配置されるので、リード線またはコネクタなどを情報端子部に接続する際の作業は従来どおり行うことができる。
【０００９】
また、表示アダプタを、表示アダプタの前面側に表示部を設け、背面側に挿入部を設けるようにするのが好ましい。また、表示アダプタの大きさを、モジュール部の前面の大きさ以下とするのが好ましい。さらに、表示アダプタを、モジュール部から電源供給を受けるものとしたり、表示アダプタの横幅を、モジュール部の横幅と同一とするのが好ましい。また、表示項目を切り替えるスイッチを、表示部を囲む側面に設けると、表示部のじゃまにならず、スペース的に好ましいものとなる。
【００１０】
また、本発明の表示アダプタは、前面に通信用端子部を有し、内部に処理部を有するモジュール部に接離可能とされている。そして、表示アダプタは、モジュール部の前面の横幅以下の横幅長および前面の縦幅以下の縦幅長を有し、モジュール部の通信用端子部に接続されることで、モジュール部が有する情報を該モジュール部から入手し、表示部に表示している。
【００１１】
この構成の結果、この表示アダプタは、モジュール部に取り付けられることで、モジュール部が有する情報を表示できる。このためモジュール部の状態確認作業などが容易となり、メンテナンスする際も、その作業などが容易となる。
【００１２】
また、表示アダプタは、モジュール部の通信用端子部に挿入される挿入部を設け、その挿入部とは反対側となる前面側に表示部を設けたり、その大きさを工夫したり、上方の側面に表示項目を切り替えるスイッチを設けたりすることで、さらに好ましいものとなる。
【発明の効果】
【００１３】
本発明のモジュール型装置および表示アダプタでは、モジュール部が有する情報の確認を容易に行えるものとなる。
【発明を実施するための最良の形態】
【００１４】
以下、本発明の第１の実施の形態に係るモジュール型装置１について図面を参照しながら説明する。なお、表示アダプタについては、モジュール型装置１の説明の中で併せて行うこととする。
【００１５】
図１に示すように、モジュール型装置１は、モジュール部２と、このモジュール部２に取り付けられた表示アダプタ３とを有する。表示アダプタ３は、モジュール部２の前面４の最も上方に取り付けられている。
【００１６】
このモジュール型装置１は内部にマイクロコンピュータとメモリを内蔵した電子機器である。例えば、このモジュール型装置１は、２または４チャンネルの小型デジタル調節計で、熱電対および測温抵抗体からの入力信号と、直流電圧および直流電流とを入力回路（図示省略）で取り込み可能となっている。そして、モジュール型装置１は、所定の条件で出力回路をオンしたりオフしたりする。モジュール型装置１は、このオン、オフによって種々な出力機器を制御できるものとなっている。制御出力としては、リレー出力、電圧パルス出力があり、制御する機器としては、たとえば電磁弁、モータなどが対象となる。このように、モジュール型装置１は、入力信号を処理し出力信号とする処理部（図示省略）を内部に有するものとなっている。
【００１７】
モジュール部２は、本体部１１と、この本体部１１の後側に配置されるベース部１２とから構成されている。モジュール部２は、直方体形状とされているが、他の形状としてもよい。たとえば、図１の上から眺めたとき、手前側が細くなる先すぼまり形状、いわゆるくさび形形状、としてもよい。本体部１１は、直方体形状のケースと、ケースの内部に配置されるユニット基板などの電子部品などを有する。本体部１１は、図１の前面側から見た形状が図２（Ａ）に示すように、長方形とされ、図１の背面側は、開口とされている。ベース部１２は、縦長の直方体形状のケースと、ケースの内部に配置される電子部品などを有する。ベース部１２は、図１の背面側から見た形状が、図２（Ａ）に示す前面側から見た形状と同じような長方形とされ、図１の前面側は、開口とされている。本体部１１の開口と、ベース部１２の開口とが対向し、結合されることで、モジュール部２が形成されている。
【００１８】
モジュール部２の内部には、上述したマイクロコンピュータとメモリなどを接載したユニット基板(図示省略)が配置されている。このマイクロコンピュータとメモリなどが、入力信号を処理し出力信号とする処理部（図示省略）の主な構成部品となる。モジュール部２は、後方の一方側の側面に、他のモジュール部２と電気接続可能な基板(図示省略)が突出し、後方の他方側の側面に、接合凹部１３と、その接合凹部１３内に設けられたコネクタとなるコネクト部１４(図５参照)を有する構造とされている。モジュール部２は、その突出した基板が他のモジュール型装置の側面に設けられたコネクト部１４と同様なコネクト部に嵌め合わせられることで、並列配置、並列接続が可能となっている。すなわち、モジュール部２同士の連結は、側面コネクタとなる突出した基板とコネクト部１４との接続で行われる。なお、コネクタの構造は、凹部と凸部を嵌め合わせる構造の他に、凸部と凸部の接触構造やリード線接続などの他の接続構造としてもよい。
【００１９】
また、モジュール部２の上方には、表示アダプタ３の取り付け後の回転を阻止するための回転阻止用凹部１５が幅方向に横断するように設けられている。なお、この実施の形態では、モジュール部２の前面４には、前方に突出した区切り板１６が複数設けられており、表示アダプタ３は、最上部に位置する区切り板１６によってもその回転が阻止される構造となっている。なお、この明細書中の「上」「下」の表現は、図との関係で便宜上用いるのみで、重力方向に対する上下を規定するものではない。同様に、以下において、「横幅」、「縦幅」、「前面」、「背面」の記載は、図１を前提にしての説明でのもので、モジュール型装置１を横倒しに設置すれば、「横幅」は縦方向を意味し、「縦幅」は横方向を意味し、モジュール型装置１を前後逆に設置すれば、「前面」は背面側となり、「背面」は前面側となる。
【００２０】
モジュール部２の前面４には、図２（Ａ）に示すように、上方部に、通信用端子部２１と、機器アドレス用スイッチ２２と、パワーランプ２３とが配置され、それらの下方側に複数の入力端子と複数の出力端子とからなる入出力端子部２４が配置されている。この情報端子部となる入出力端子部２４は、前面４の大きな面積を占める部分となり、通信用端子部２１が配置される部分は、残りの小さい面積部分となっている。入出力端子部２４には、複数の端子ねじ２５が配置されている。この実施の形態では、端子ねじ２５は、区切り板１６で区切られた各空間に横方向に並んで２つ設置され、かつ全体として上下方向に２列となるように配置されている。この端子ねじ２５は、モジュール部２の内部の処理部（図示省略）に電気的に接続している端子で、接続リード線を端子ねじ２５で締め付け、接続するものとなっている。なお、この実施の形態では、情報端子部となる入出力端子部２４には端子ねじ２５が配置され、端子タイプのものとしているが、情報端子部としては、ねじ形の端子の代わりに、コネクタとしてもよい。すなわち、コネクタを配置することで、コネクタタイプのモジュール部２としてもよい。なお、入出力端子部２４のうち一組の端子ねじ２５が、外部からモジュール部２への電源供給に用いられる。
【００２１】
通信用端子部２１は、表示アダプタ３のステレオジャック部３１(図３(Ｂ)参照)が挿入されるジャックである。この通信用端子部２１は、表示アダプタ３が取り付けられていない状態ではパーソナルコンピュータからのケーブルが接続可能とされている。その接続によって、チャンネル毎の入力と出力レンジの設定、ＰＩＤ(Proportional、Integral、Differential)のパラメータの設定などがパーソナルコンピュータを用いて前記処理部に対してセットアップ可能となる。また、設定状態のモニタがパーソナルコンピュータで可能となる。
【００２２】
機器アドレス用スイッチ２２は、ロータリスイッチとなっており、上位機器との通信を行うときに設定する。モジュール部２の出荷時点では通信できない設定になっており、設置時に通信が有効となるように切り替える。パワーランプ２３は、電源供給されたときに点灯するもので、電源投入後、約１０秒間は初期化のため点滅動作をする。なお、この初期化の期間は通信ができないものとなっている。
【００２３】
このように、モジュール部２は、前面４の大きな面積を占める部分に信号の入出力用の情報端子部となる入出力端子部２４が、前面４の残りの一部に通信用端子部２１がそれぞれ配置され、入力信号を処理し出力信号とする処理部（図示省略）を内部に有し、他のモジュール型装置と並列接続可能となるものを指す。
【００２４】
なお、表示アダプタ３は、図２（Ｂ）に示すように、モジュール部２の前面４の横幅と同じ横幅長を有し、その左右端がモジュール部２の前面４の左右端と重なるようにモジュール部２に取り付けられている。また、表示アダプタ３は、その上端がモジュール部２の前面４の上端からわずかに突出し、その下端が区切り板１６との間にわずかな隙間が生ずるようにモジュール部２に取り付けられている。
【００２５】
表示アダプタ３は、図３に示すように、後方側に突出する接続部であり挿入部となるステレオジャック部３１と、前面に配置される表示部３２と、モジュール部２にひっかけることで回転を阻止する回転阻止用突出部３３と、上方の側面に設置される表示項目切り替え用のスイッチ３４と、アダプタ本体部３５とを有する構造となっている。
【００２６】
ステレオジャック部３１は円柱状の形状を有し、モジュール部２の通信用端子部２１に差し込まれる部位である。ステレオジャック部３１は、その先端側に、電源用接合部３７と通信用接合部３８とを有する。ステレオジャック部３１が通信用端子部２１に差し込まれると、モジュール部２との間で通信が可能になると共に、モジュール部２から電源の供給を受けることとなる。
【００２７】
表示部３２は、ＬＥＤ（Light  Emitting  Diode）を利用した表示体で、横１２個、縦７個の計８４個のます目からなる表示箇所を有する。表示部３２は、各ます目が点灯または消灯することで文字や図形を表示する。
【００２８】
回転阻止用突出部３３は、モジュール部２の本体部１１の上端に設けられた回転阻止用凹部１５に入り込むことで、表示アダプタ３の回転（軸状のステレオジャック部３１を中心とした回転）を阻止するものである。回転阻止用突出部３３は、アダプタ本体部３５の上端から後方に片持ち梁状に突出し、その突出した先端に爪部３６が設けられている。爪部３６は、幅方向に渡って設けられており、この爪部３６が回転阻止用凹部１５に入り込む。スイッチ３４は、表示部３２での表示項目を切り替えるスイッチである。スイッチ３４は、上方の側面に配置されることで、モジュール部２が並列配置されたときも、スイッチ３４の操作が容易となる。
【００２９】
アダプタ本体部３５は、図４に示すように、直方体形状のケースの内部に回路基板３９やその他の部材が配置されている。回路基板３９は、表示部３２の背面側に固定されている。回路基板３９には、制御部となる中央処理装置（ＣＰＵ）４０や他の回路素子（図示省略）が設置されている。回路基板３９には、さらに、ステレオジャック部３１を経由しての電源供給受けや通信を行うための複数のリード線４１が接続されている。なお、ステレオジャック部３１は、アダプタ本体部３５の後背面内側部３５ａにその台部３１ａが接着剤で固定されていると共にその後背面内側部３５ａに設けられた台部３１ａより小径の円形孔３５ｂから先端挿入部３１ｂが突出している。この先端挿入部３１ｂに、電源用接合部３７と通信用接合部３８とが設けられている。
【００３０】
制御部となる小型のＣＰＵ４０は、マイクロコンピュータとなっており、通信用端子部２１へ先端挿入部３１ｂを差し込み、モジュール部２との接続を行うのみで、電源の供給を受けると共に、モジュール部２が有する情報の表示を表示部３２で行う。なお、この実施の形態では、音響機器用のステレオジャック構造（２チャンネル）のものをモジュール部２との接続部として使用しているが、これは軸方向の位置の異なる一方のチャンネルの電極を電源供給受けとして用い、他方のチャンネルの電極を通信の機能として用いることができるためである。ステレオジャック構造は、モジュール部２の前面スペースが狭いこの実施の形態では極めて有効となる。なお、モジュール部との接続としては、ステレオジャック構造のものの代わりに、市販の小型コネクタを用いてもよい。
【００３１】
次に、このモジュール装置１の組み立てについて、図５を参照しながら説明する。
【００３２】
まず、本体部１１の内部に基板となるユニット基板やその他の部品を取り付ける。またベース部１２の内部へも各種の部品を取り付ける。その後、本体部１１のフック４１をベース部１２のフック凹部４２に引っかけて、ベース部１２にはめ込む。このはめ込みは、本体部１１が入り込むことで、ベース部１２に設置されている上方のレバー（図示省略）がたわみ、さらに本体部１１が入り込み、両者の間でカチッと音がするまで行う。なお、外すときは、上方のレバーを押しながら本体部１１を手前に引くことで、両者は外れる。
【００３３】
モジュール部２が組み上がった後、表示アダプタ３をモジュール部２に取り付ける。この取り付けは、表示アダプタ３のステレオジャック部３１をモジュール部２の通信用端子部２１に挿入することで行う。この挿入の際、形持ち梁状の回転阻止用突出部３３は、その弾性により上方にたわみながら進んでいく。そして、本体部１１の回転阻止用凹部１５に爪部３６が入り込むことで、表示アダプタ３はモジュール部２に完全に取り付けられる。
【００３４】
この表示アダプタ３の取り付けは、モジュール部２が複数のモジュール型装置と並列接続、並列配置された後に行うのが好ましいが、モジュール部２が出荷される際に取り付けて出荷したり、モジュール部２の付属品として、モジュール部２と共に出荷するようにしてもよい。
【００３５】
表示アダプタ３がモジュール部２に取り付けられると、機器アドレス用スイッチ２２が隠れてしまい、通信が有効として設定されているアドレスが何であるかが外部から見えなくなる。しかし、後述するように、表示アダプタ３がモジュール部２に取り付けられた際の初期動作として、表示部３２へアドレス情報を表示することで問題はなくなると共に、機器アドレススイッチ２２の表示に比べ、ユーザは、アドレスを認識しやすいものとなる。
【００３６】
表示アダプタ３がモジュール部２に取り付けられると、パワーランプ２３を隠してしまう。しかし、電源がモジュール部２に供給されていれば表示アダプタ３は動作を開始する。よって、表示アダプタ３が動作を開始することで、パワーランプ２３の点灯と同じ役割を果たす。一方、電源がオフされていれば表示アダプタ３は動作を開始しない。表示部３２の表示がなされないことで、表示アダプタ３は、パワーランプ２３の消灯と同じ役目を果たす。このため、パワーランプ２３が表示アダプタ３によって見えなくなっても問題はない。
【００３７】
次に、表示アダプタ３による表示動作について、図６のフローチャートなどを参照しながら説明する。
【００３８】
電源がオンとなっているモジュール部２の通信用端子部２１に、表示アダプタ３の先端挿入部３１ｂを挿入すると、表示アダプタ３は、モジュール部２から電源の供給を受け、オンとなりスタートする〈ステップＳ５１)。すると、ＣＰＵ４０は、まずモジュール部２のマイクロコンピュータ(以下、「マイコン」という。)にアクセスし、マイコンが異常なしかどうかを判断する(ステップＳ５２)。このチェックの結果、マイコンに異常がある場合、ＣＰＵ４０は、表示部３２にてアラーム表示を行う(ステップＳ５３)。このアラーム表示の例を図７に示す。
【００３９】
図７は、「ＡＬＡＲＭＥ７」を表示する例である。この例では、まず「Ａ」が表示され、次に「ＡＬ」が表示され、その表示が左方向へ移動していき、「ＬＡ」「ＡＲ」「ＭＥ」「Ｅ７」が順に表示されていくことで、「ＡＬＡＲＭ７」が表示されることになる。なお、数値の「７」は、何が問題かを示すもので、他の数値の場合もあり得る。
【００４０】
ステップＳ５２で異常なしとされると、ＣＰＵ４０はマイコンにアクセスして、各種情報を収集する（ステップＳ５４）。収集する情報としては、通信アドレスなどの設定状態情報、モジュール部２の製品型番などの製品情報、診断情報、制御情報などである。診断情報には、モジュール部２へ入力されるセンサなど他の機器からの信号やその信号に基づいてモジュール部２のマイコンが判断した情報が含まれる。制御情報には、モジュール部２から他の制御対象機器に出力される信号などが含まれる。
【００４１】
表示アダプタ３は、通信ラインである通信用接続部３８を通じて、モジュール部２のマイコンから各種情報を収集するが、その収集は、ＣＰＵ４０内の記憶部（図示省略）に保存されている定義テーブルを参照して行う。この定義テーブルの例を図８に示す。この定義テーブルは、モジュール部２が、温度計モジュールである場合、デジタル出力モジュールである場合、およびデジタル入力モジュールである場合の３種類を対象とした一例となっている。また図８の例では、収集する情報として、型番情報、モジュールアドレス、計器診断情報および画面情報の４種類となっている。図８の定義テーブル内の数値は、モジュール部２のマイコンとの通信を行う際のアドレス値を示している。
【００４２】
ステップＳ５４で、各種情報が収集されると、ＣＰＵ４０は、まず機器アドレス用スイッチ２２で設定されているアドレス(モジュールアドレス)を所定時間、たとえば５秒間表示する制御を行う(ステップＳ５５)。この状態を図９(Ａ)に示す。図９(Ａ)の例では、アドレスとして「１５」が表示されている。この表示によって設定アドレスが認識しやすくなると共に設定ミスが減少する。何故なら、通常、ロータリスイッチで構成される機器アドレス用スイッチ２２は、非常に見づらく設定しにくいため、設定ミスが起こることがあるが、表示アダプタ３にアドレスが大きく表示されることで、設定ミスがあれば確実に把握できるためである。また、ロータリスイッチの表示として「０〜９、Ａ、Ｂ、Ｃ、Ｄ、Ｅ、Ｆ」の１６進数を使用している場合も、この表示アダプタ３では、１０進数で表示することで、その読み替えの不便さを無くすことができる。
【００４３】
なお、このステップＳ５５のアドレス表示は、ステップＳ５４で、ＣＰＵ４０が各種の情報の中からまずアドレス情報を収集し、すぐにこのアドレス表示の処理を行うようにしてもよい。その場合、その後に他の情報を入手し、順次、その入手した他の情報を表示するような制御を行うこととなる。
【００４４】
ステップＳ５５でアドレスを所定時間表示したら、ＣＰＵ４０は、その他の情報を表示アダプタ３で表示する処理を行う(ステップＳ５６)。この表示は、まず、他の情報の表示を開始する旨の表示を行うことから始まる(ステップＳ５６ａ)。始まりを示す表示の例を図９(Ｂ)に示す。
【００４５】
その後、収集した情報を順次表示していくが、その情報に異常がない場合は、通常表示を行う(ステップＳ５６ｂ)。図１０にモジュール部２が温調計の場合の表示を示す。この例は、複数個所の温度表示を行う例で、第１の箇所ＰＶ１が２３.４度、第２の箇所ＰＶ２が８３.９度、第３の箇所ＰＶ３が２０.４度、第４の箇所ＰＶ４が５７.６度であることを表示するものとなっている。この表示例でも、図７の表示と同様に、表示が左方向に進行するものとなっている。なお、図１０では、表示部３２の大きさが少し変更され、横長となっている。
【００４６】
モジュール部２がデジタル出力モジュールの場合、出力のオン(ＯＮ)とオフ(ＯＦＦ)の状態を表示させることがある。たとえば、オン(ＯＮ)しているチャンネルが１,２,４,６,７,８,１１,１２,１３,１５,１６で、オフ(ＯＦＦ)しているチャンネルが３,５,９,１０,１４である場合、表示部３２には、「ＯＮ：ｃｈ：１,２,４,６,７,８,１１,１２,１３,１５,１６,ＯＦＦ：ｃｈ：３,５,９,１０,１４」の表示が右から左側へ移動しながら表示されることとなる。
【００４７】
一方、収集した情報に異常があった場合は、アラーム表示を行う (ステップＳ５６ｃ)。図１１にアラーム表示の例を示す。この例ではモジュール部２が温調モジュールで、第２の箇所(＝ＰＶ２)の温度入力に異常があった場合を示している。図１０と同様に、第１の箇所ＰＶ１の表示は正常どおり行ない、第２の箇所ＰＶ２については、「ＡＬ０２」の表示と、上部に点線の点滅表示を行うことで、アラーム表示をし、その後、第３の箇所ＰＶ３と第４の箇所ＰＶ４については、図１０と同様な表示を行う。このような表示によって、第２の箇所について異常が発生していることが分かる。
【００４８】
以上のような表示を自動的に開始するのではなく、ステップＳ５６の処理開始をスイッチ３４で行うようにしてもよい。また、その後の各表示を自動的に行うのではなく、スイッチ３４でその表示項目を切り替えるようにしてもよい。
このような自動と、手動の切換を、別に設けたスイッチ（図示省略）で行うようにしてもよい。
【００４９】
以上のような表示を行った後、ＣＰＵ４０は、全ての情報の表示を終了したか否かを判断する(ステップＳ５７)。全ての表示を終了したとＣＰＵ４０が判断したら、ＣＰＵ４０は、アドレス(この例では「１５」)を表示する(ステップＳ５８)。一方、ＣＰＵ４０は、全ての表示が終了していないと判断した場合は、ステップＳ５６ａに戻り残りの情報を順次表示していく処理を行う。
【００５０】
アドレスを表示した後、ＣＰＵ４０は、ステレオジャック部３１がモジュール部２から抜かれたか、すなわち、通信用端子部２１とステレオジャック部３１とが非接触となったか否かの監視を継続し(ステップＳ５９)、非接触となれば動作を終了する(ステップＳ６０)。一方、接触状態が継続している場合、ＣＰＵ４０は、ステップＳ５８に戻りアドレス表示を継続する。なお、ＣＰＵ４０は、ステップＳ５９の処理となる判断を非常に短い時間間隔で行う。
【００５１】
このモジュール型装置１では、モジュール部２の設定のために一時的に使用される通信用端子部２１を利用している。このため、モジュール部２の設定後に、この通信用端子部２１に、表示アダプタ３の挿入部となるステレオジャック部３１を挿入して使用することは、きわめて有効な利用法となる。しかもモジュール部２の前面に表示できない情報を表示アダプタ３で表示できることとなり、モジュール型装置１は使い勝手のよいものとなる。また、モジュール部２の前面に一体的な表示部を設置するのに比べ、コスト的にも安いものとなる。また、このモジュール型装置１は、異常個所が把握でき、メンテナンスなどの対応がすばやくできることになる。
【００５２】
次に、本発明の第２の実施の形態に係るモジュール型装置１Ａについて図１２を参照しながら説明する。なお、第１の実施の形態に係るモジュール型装置１と同一部材や同種部材については、同一符号を付し、その説明を省略する。
【００５３】
図１２に示すように、このモジュール型装置１Ａは、並列接続された複数のモジュール部２と、このモジュール部２の中の１つに取り付けられた表示アダプタ３とを有する。表示アダプタ３は、モジュール部２の前面４の上方に配置されている通信用端子部２１に、その挿入部が挿入され、取り付けられている。そして、表示アダプタ３は、モジュール部２の前面４の横幅と同じ横幅長を有し、その左右端がモジュール部２の前面４の左右端と重なるように、かつ、その上端は、モジュール部２の前面４の上端と同一高さとなるように、モジュール部２に取り付けられている。なお、図１２では、機器アドレス用スイッチ２２と、パワーランプ２３が配置されていないが、図示を省略したもので、実際は、機器アドレス用スイッチ２２とパワーランプ２３がモジュール部２の前面に配置されている。
【００５４】
表示アダプタ３は、図１２の状態では、最も左方に配置されているモジュール部２が有する情報を入手し、表示部３２に表示する。表示が終了したら、この表示アダプタ３は、並列配置されている別のモジュール部（＝モジュール型装置）に取り付けて、そのモジュール部２が有する情報を入手し、表示部３２に表示する。このように、１つの表示アダプタ３によって、設置されているすべてのモジュール部（＝モジュール型装置）に取り付けて、全てのモジュール部２が有する情報を表示部３２に表示することができる。
【００５５】
このモジュール型装置１Ａには、回転阻止用凹部１５や回転阻止用突出部３３が設けられていない。しかし、通信用端子部２１と挿入部となるステレオジャック部３１との間の摩擦で回転は阻止されているので、作業性にそれほど問題は出ないものとなっている。
【００５６】
なお、並列接続された複数のモジュール部２の各マイコン内の情報を、１つのモジュール部２に取り付けられた１つの表示アダプタ３の制御部に送信するようにしてもよい。この場合、表示アダプタ３を他のモジュール部２に取り付け直す必要が無くなり、確認作業やメンテナンス作業が一層容易となる。
【００５７】
以上、本発明の実施の形態に係るモジュール型装置１，１Ａを説明したが、本発明は、その要旨を変更しないかぎり、種々変更実施が可能となる。たとえば、表示アダプタ３は、前面に表示部３２を有しているが、表示部を上方面（図１では、スイッチ３４が配置されている面）や左右の側面に配置してもよい。また、回転阻止用突出部３３を表示アダプタ３の幅全体の大きさとせず、表示アダプタ３の幅の１／５とか１／１０の幅を有するものとし、回転阻止用凹部１５をその大きさに合わせた大きさとしてもよい。また、区切り板１６が存在するようなモジュール部２の場合や、図１２に示す場合などのように、回転阻止用突出部３３を設けないようにしてもよい。
【００５８】
また、表示アダプタ３の大きさは、モジュール部２の前面４の横幅以下が好ましいが横幅以上としてもよく、またモジュール部２の前面４の縦幅以下が好ましいが縦幅以上としてもよい。また、表示アダプタ３の取り付け場所は、モジュール部２の上方部分が好ましいが、中央部や下方部に取り付けてもよい。また、表示アダプタ３の取り付け場所は、情報端子部となる入出力端子部２４を覆わないようにするのが好ましいが、情報端子部の一部または全部を覆うように設置してもよい。
【００５９】
また、表示アダプタ３の取り付けは、モジュール部２の設定に使用する通信用端子部２１が好ましいが、モジュール部２に、表示アダプタ３専用の通信用端子部を設け、その端子部に接続してもよい。また、その接続は、通信用端子部への挿入で行っているが、リード線接続など他の接続方法を採用してもよい。
さらに、表示アダプタ３は、本体部１１の上方に乗せて固定するタイプとしたり、ステレオジャック部３１を曲げた形状とすることで、機器アドレス用スイッチ２２やパワーランプ２３が前面側から見えるように取り付けることができるものとしてもよい。また、大きな面積を占める入出力端子部２４が、前面４の上方や中央に配置されているときは、表示アダプタ３を下方に取り付ける構造としてもよい。また、各実施の形態では、ステレオジャック部３１が通信用端子部２１に挿入されることでモジュール部２から電源の供給を受けるようになっているが、表示アダプタ３は、電池など独自の電源を持つものとしてもよい。
【００６０】
また、表示項目切り替え用のスイッチ３４を設けないようにしてもよい。また、スイッチ３４を表示部３２を囲む側面の上方ではなく、表示部３２を囲む側面のいずれか、たとえば表示アダプタ３の左右の側面のいずれかに設けたり、表示アダプタ３の前面で表示部３２の周囲のいずれかに設けるようにしてもよい。また、各実施の形態では、表示部３２をＬＥＤで形成しているが、液晶、有機ＥＬなど他の表示素子を使用した表示部としてもよい。さらに、表示アダプタ３をモジュール部２に接続したままとする場合、その表示を非表示と、表示に切り替える機能をスイッチ３４に持たせたり、その機能を持つスイッチを別に設けたりしてもよい。
【００６１】
また、ベース部１２は、後方ではなく下部に配置してもよい。また、モジュール部２としては、本体部１１とベース部１２の２つ以外に、その他の部材がつけられたものとしてもよい。また、ベース部１２などのベース部から本体部を取り外せないタイプのモジュール部としてもよい。
【００６２】
このモジュール型装置１，１Ａは、プログラマブルコントローラとなっているが、モジュール部２は、並列接続可能なモジュール型装置であれば、プログラマブルコントローラ以外のものでもよい。また、同じ制御などを行うモジュール部２を並列接続するのではなく、制御対象が異なったり、形状が異なったりなど違うタイプのモジュール部２を並列接続したものとしてもよい。さらに、測定や制御の対象としては、温度などの他に、流量、ＰＨ，液面レベルなどの他のアナログプロセス量を測定したり、制御したりするものであってもよい。また、モジュール型装置１，１Ａや、表示アダプタ３が取り付けられるモジュール部２は、半導体製造装置や熱処理装置などアナログ量の制御に用いられるものとしたり、デジタル量の制御に用いられるものとしたりしてもよい。
【図面の簡単な説明】
【００６３】
【図１】本発明の第１の実施の形態に係るモジュール型装置の斜視図である。
【図２】図１に示すモジュール型装置の正面図で、（Ａ）は表示アダプタを取り付ける前の正面図で、（Ｂ）は表示アダプタを取り付けたときの正面図である。
【図３】図１に示すモジュール型装置の構成部品である表示アダプタを示す図で、（Ａ）は表示アダプタの正面図で、（Ｂ）は表示アダプタの側面図である。
【図４】図３に示す表示アダプタの内部構造を示す図で、図３（Ｂ）におけるＡ−Ａ線で切った断面図である。
【図５】図１に示すモジュール型装置の組み立て方法を示す図で、モジュール型装置の側面図である。
【図６】図１示すモジュール型装置に取り付けられる表示アダプタの表示動作の流れの一例を示すフローチャート図である。
【図７】図３に示す表示アダプタで表示されるアラーム表示の例を示す図である。
【図８】図１に示すモジュール型装置の構成部品であるモジュール部から情報を収集する際に使用される定義テーブルの例を示す図である。
【図９】図３に示す表示アダプタで表示される表示の例を示す図で、（Ａ）はアドレスを所定時間表示する際の表示例を示す図で、（Ｂ）は他の表示を開始する際の表示例を示す図である。
【図１０】図３に示す表示アダプタで表示される表示の例を示す図で、情報に異常がなく、モジュール部が温調計の場合の表示例を示す図である。
【図１１】図３に示す表示アダプタで表示される表示の例を示す図で、情報に異常があり、かつモジュール部が温調計の場合の表示例を示す図である。
【図１２】本発明の第２の実施の形態に係るモジュール型装置の斜視図と、表示アダプタの拡大図である。
【符号の説明】
【００６４】
１、１Ａ  モジュール型装置
２  モジュール部
３  表示アダプタ
４  前面
１１  本体部
１１ａ  ケース
１２  ベース部
１２ａ  ケース
１３  接続凹部
１４  コネクト部（コネクタ）
２１  通信用端子部
２４  入出力端子部（情報端子部）
３１  ステレオジャック部（接続部、挿入部）
３２  表示部
３３  回転阻止用突出部
３４  スイッチ
４０  中央処理装置（ＣＰＵ、制御部）
【図１】
2009205416.tif 000003
【図２】
2009205416.tif 000004
【図３】
2009205416.tif 000005
【図４】
2009205416.tif 000006
【図５】
2009205416.tif 000007
【図６】
2009205416.tif 000008
【図７】
2009205416.tif 000009
【図８】
2009205416.tif 000010
【図９】
2009205416.tif 000011
【図１０】
2009205416.tif 000012
【図１１】
2009205416.tif 000013
【図１２】
2009205416.tif 000014